(57)【要約】【課題】除湿時の室内環境を快適に調節することができる空気調和機を提供する。【解決手段】室内の除湿を行う空気調和機において、室外の温度に基づいて設定温度及び設定湿度を室内制御部２３で決定し、室内の温度及び湿度と前記設定温度及び前記設定湿度との各差が夫々所定値より小さくなるように温度及び湿度の調節を行う。前記設定湿度は、室外の温度が高くなるにつれて低く決定される。室内温度は、圧縮機３４の圧縮力及び室外ファン４２の回転数を変化させて調節し、室内湿度は、圧縮機３４の圧縮力を変化させて調節する。【選択図】図１
2007120775.tif 000002
【特許請求の範囲】
【請求項１】
室内の温度と設定温度との差が所定値以下となるように冷房を行うこと、及び、室内の除湿を室外の温度に基づいて行うことが可能な空気調和機において、
室内の除湿を行う場合、室外の温度に基づいて設定温度及び設定湿度を決定する前記決定手段と、
該決定手段が決定した設定温度と除湿時の室内の温度との差が所定値以下となり、決定手段が決定した設定湿度と除湿時の室内の湿度との差が所定値以下となるように温度及び湿度の調節を行う調節手段と
を備えることを特徴とする空気調和機。
【請求項２】
設定温度及び設定湿度の手動決定又は自動決定の指定を受付ける受付手段を備えており、
前記決定手段は、受付手段が自動決定の指定を受付けた場合、設定温度及び設定湿度を決定するように構成してあることを特徴とする請求項１記載の空気調和機。
【請求項３】
前記決定手段は、室外の温度が高くなるにつれて設定湿度を低く決定するように構成してあることを特徴とする請求項１又は２記載の空気調和機。
【請求項４】
室内熱交換器と室外熱交換器との間を循環する冷媒を圧縮する圧縮機と室外熱交換器を冷却する室外ファンとを備えており、
前記調節手段は、室内の温度調節用に室外ファンの回転数及び圧縮機の圧縮力を変化させ、室内の湿度調節用に圧縮機の圧縮力を変化させるように構成してあることを特徴とする請求項１乃至３の何れかひとつに記載の空気調和機。
【発明の詳細な説明】
【技術分野】
【０００１】
本発明は、室内の除湿を行う空気調和機に関する。
【背景技術】
【０００２】
室内を快適な空調環境にするために空気調和機で室内温度を調節することが行われている。室内にいる人の体感温度は、在室者の活動状態又は着衣状態に加えて、天井又は壁面からの熱輻射又は気流の流速等の影響を受ける。室外温度が高い場合は、壁面の熱輻射の影響で体感温度が上昇し、また、入室してくる人体の体温も高いため、室内温度は低いほど快適である。しかし、室内温度と室外温度との差が大きい場合、室内と室外とを行き来した際にヒートショックによって人体の生理機能に悪影響を及ぼすことがあるため、生理的には室外温度が高いときには室内温度も高くすることが好ましい。
【０００３】
そのため、冷凍サイクルを用いて除湿を行う空気調和機においては、室外温度と室内温度との差が小さく、かつ、室外温度よりも室内温度が低くなるように設定温度を決定し、人体に優しい除湿を行っている（例えば特許文献１参照）。また、室内熱交換器の一部を凝縮器として動作させ、室内温度を変化させずに室内湿度を変化させる再熱除湿を行う空気調和機においては、除湿開始時の室内温度を記憶し、記憶した室内温度の変化を抑制しながら室内湿度を調節し、人体に優しい除湿を行っている。
【特許文献１】特開２０００−２５７９３９号公報
【発明の開示】
【発明が解決しようとする課題】
【０００４】
しかし、冷凍サイクルを用いた除湿では、室内温度が設定温度よりも低い場合、圧縮機を停止して冷房を中止するため、冷房による湿度調節が行えず、室内の温度が低くても湿度が高く不快な状態になることがある。一方、再熱除湿を用いた除湿では、室内温度を変化させずに室内湿度を低下させるため、除湿開始時の室内温度が高い場合は、室内湿度が低くても室内温度が高過ぎて不快な状態になることがある。
【０００５】
本発明は斯かる事情に鑑みてなされたものであり、室外の温度に基づいて設定温度及び設定湿度を決定する決定手段と、決定した設定温度及び設定湿度と除湿時の室内の温度及び湿度との各差が夫々所定値以下となるように温度及び湿度の調節を行う調節手段とを備えることにより、除湿時の室内環境をより細かく調節することができる空気調和機を提供することを目的とする。
【０００６】
また、本発明は、設定温度及び設定湿度の手動決定又は自動決定の指定を受付ける受付手段が自動決定の指定を受付けた場合に前記決定手段が設定温度及び設定湿度を決定するように構成したことにより、設定温度及び設定湿度を柔軟に決定することができる空気調和機を提供することを他の目的とする。
【０００７】
また、本発明は、前記決定手段が室外の温度が高くなるにつれて設定湿度を低く決定するように構成したことにより、室内の温度が高い場合であっても、湿度を低くして体感温度を下げることができる空気調和機を提供することを他の目的とする。
【０００８】
また、本発明は、室内温度の調節用に室外ファンの回転数及び圧縮機の圧縮力を変化させ、室内湿度の調節用に圧縮機の圧縮力を変化させるように構成したことにより、室内の温度及び湿度を調節することができる空気調和機を提供することを他の目的とする。
【課題を解決するための手段】
【０００９】
本発明に係る空気調和機は、室内の温度と設定温度との差が所定値以下となるように冷房を行うこと、及び、室内の除湿を室外の温度に基づいて行うことが可能な空気調和機において、室内の除湿を行う場合、室外の温度に基づいて設定温度及び設定湿度を決定する前記決定手段と、該決定手段が決定した設定温度と除湿時の室内の温度との差が所定値以下となり、決定手段が決定した設定湿度と除湿時の室内の湿度との差が所定値以下となるように温度及び湿度の調節を行う調節手段とを備えることを特徴とする。
【００１０】
本発明に係る空気調和機は、設定温度及び設定湿度の手動決定又は自動決定の指定を受付ける受付手段を備えており、前記決定手段は、受付手段が自動決定の指定を受付けた場合、設定温度及び設定湿度を決定するように構成してあることを特徴とする。
【００１１】
本発明に係る空気調和機は、前記決定手段は、室外の温度が高くなるにつれて設定湿度を低く決定するように構成してあることを特徴とする。
【００１２】
本発明に係る空気調和機は、室内熱交換器と室外熱交換器との間を循環する冷媒を圧縮する圧縮機と室外熱交換器を冷却する室外ファンとを備えており、前記調節手段は、室内の温度調節用に室外ファンの回転数及び圧縮機の圧縮力を変化させ、室内の湿度調節用に圧縮機の圧縮力を変化させるように構成してあることを特徴とする。
【００１３】
本発明においては、室外の温度に基づいて設定温度及び設定湿度を決定手段で決定し、決定した設定温度と除湿時の室内の温度との差が所定値以下となり、決定した設定湿度と除湿時の室内の湿度との差が所定値以下となるように調節手段が温度及び湿度の調節を行うため、室内の温度及び湿度が調節され、除湿時の室内環境をより細かく調節することができる。例えば、湿度が低いほど汗などは蒸発し易くなり、室内の人間の体感温度を下げることができるため、室内の温度を変えずに湿度を変更して体感温度を調節することが可能になる。
【００１４】
本発明においては、設定温度及び設定湿度の手動決定又は自動決定の指定を受付手段で受付け、自動決定の指定を受付けた場合に前記決定手段が設定温度及び設定湿度を決定するため、ユーザが手動決定した設定温度及び設定湿度を用いたり、装置側に自動決定させた設定温度及び設定湿度を用いることができる。また、設定温度及び設定湿度を柔軟に決定することができる。さらに、自動決定を指示した場合でも、リモコンの温度設定ボタンや湿度設定ボタンを利用して、自動決定した温度又は湿度の「高め」や「低め」などの補正ができれば、更にユーザの好みを反映させやすくなる事は言うまでもない。
【００１５】
本発明においては、前記決定手段が室外の温度が高くなるにつれて設定湿度を低く決定するため、室内の温度が高い場合であっても、湿度を低くして体感温度を下げることができる。例えば室外の温度が高い場合に室内の温度も高めにして室内外の温度差を小さくした場合、温度差が人体に与える悪影響は低減できる。しかし、室内の温度が高いために不快感を与える可能性があるが、湿度を低くして体感温度を下げることにより、前記不快感を低減することができる。
【００１６】
本発明においては、室内熱交換器と室外熱交換器との間を循環する冷媒を圧縮する圧縮機と室外熱交換器を冷却する室外ファンとを備えており、圧縮機の圧縮力及び室外ファンの回転数（ｒｐｍ）を調節手段で変化させて室内温度を調節し、圧縮機の圧縮力を調節手段で変化させて室内湿度を調節する。例えば、調節手段は、室内温度を低く（又は高く）する際は圧縮機の圧縮力を増加（又は低下）及び室外ファンの回転数を増加（又は低下）させ、室内湿度を低く（又は高く）する際は圧縮機の圧縮力を増加（又は低下）させる。圧縮機の圧縮力は、例えば回転圧縮機の動作周波数を増加（又は低下）させて、増加（又は低下）させることが可能である。
【発明の効果】
【００１７】
本発明によれば、室内の温度及び湿度が調節され、除湿時の室内環境をより細かく調節することができ、除湿時の室内環境をより快適にすることができる。
【００１８】
本発明によれば、設定温度及び設定湿度を柔軟に決定することができる。
【００１９】
本発明によれば、室内の温度が高い場合であっても、湿度を低くして体感温度を下げることができる。
【００２０】
本発明によれば、室内の温度及び湿度を調節することができる。
【発明を実施するための最良の形態】
【００２１】
以下、本発明をその実施の形態を示す図面に基づいて具体的に説明する。
図１は本発明に係る空気調和機の構成例を模式的に示すブロック図である。空気調和機は、第１熱交換器１２、第２熱交換器１４、電磁弁１６、絞り弁１８、室内ファン２０、操作Ｉ／Ｆ（操作インタフェース）２２、室内制御部２３、及び室内センサ２４を有する室内機１０と、第３熱交換器３２、圧縮機３４、四方弁３６、膨張弁３８、室外制御部４０、室外ファン４２、及び室外センサ４４を有する室外機３０とを備える。
【００２２】
室内機１０の第１熱交換器１２は室外機３０の四方弁３６と接続され、室内機１０の第２熱交換器１４は室外機３０の膨張弁３８と接続され、第１熱交換器１２と第２熱交換器１４との間に電磁弁１６及び絞り弁１８が並列に接続されている。絞り弁１８は固定式の絞り弁又はキャピラリーチューブであり、電磁弁１６は室内制御部２３によって開閉される。室内ファン２０は、第１熱交換器１２及び第２熱交換器１４に向けて空気を送り、回転速度は室内制御部２３によって制御される。
【００２３】
室外機３０の第３熱交換器３２は四方弁３６と膨張弁３８との間に接続されている。また、圧縮機３４は四方弁３６を介して第３熱交換器３２と室内機１０の第１熱交換器１２と接続されている。四方弁３６は、流路を切換えることにより、第１熱交換器１２側を高圧にしたり、第３熱交換器３２側を高圧にする。四方弁３６の流路の切換、膨張弁３８の開度、圧縮機３４の圧縮力は室外制御部４０によって制御される。圧縮機３４の圧縮力は、例えば回転圧縮機の場合は動作周波数（回転数）にほぼ比例する。以下、圧縮機３４の圧縮力を表すパラメータとして動作周波数を用いて説明する。室外ファン４２は、第３熱交換器３２に向けて空気を送り、回転数（ｒｐｍ）は室外制御部４０によって制御される。
【００２４】
室内機１０の操作Ｉ／Ｆ２２は、操作スイッチを有する操作パネル、又は、操作スイッチ及び通信器を有するリモートコントローラと通信を行う通信器を備え、受付けた操作情報を室内制御部２３に送る。室内センサ２４は、室内温度を計測する温度センサ及び室内湿度を計測する湿度センサを備え、計測値を室内制御部２３に送る。また、室外機３０の室外センサ４４は室外温度を計測する温度センサを備え、計測値を室外制御部４０に送る。
【００２５】
室内制御部２３及び室外制御部４０は、それぞれＣＰＵ（Central Processing Unit）、ＲＯＭ（Read Only Memory）、及びＲＡＭ（Random Access Memory）を備え、ＲＯＭに記憶されている制御プログラムをＣＰＵが実行して、室内制御部２３は室内機１０の各構成部の制御を、室外制御部４０は室外機３０の各構成部の制御を行う。また、室内制御部２３と室外制御部４０とは通信を行い、センサの計測値や運転に関する要求などの情報を交信している。また、室内センサ２４、室外センサ４４、あるいは操作Ｉ／Ｆ２２から受付けた情報、又は、一時的に使用するデータはＲＡＭに記憶される。室内制御部２３は、操作Ｉ／Ｆ２２で受付けた操作に応じて室内機１０を制御すると共に、室外制御部４０に室外機３０の各構成部を制御するのに必要な情報を送信して、冷房運転、暖房運転、又は除湿運転などを行う。室内制御部２３は、例えば操作Ｉ／Ｆ２２で受付けた設定温度と室内センサ２４の計測温度とが同じになるように室内機１０の各構成部を制御すると共に、室外制御部４０へ情報を送り、情報を受取った室外制御部４０は、圧縮機３４、室外ファン４２及び膨張弁３８を制御して、決定した設定温度と室内センサ２４の計測温度とが同じになるように室外機３０の各構成部を制御する。また、例えば操作Ｉ／Ｆ２２で自動設定を受付けた場合、室内制御部２３は、設定温度を決定し、決定した設定温度と室内センサ２４の計測温度とが同じになるように各構成部を制御すると共に、室外制御部４０へ情報を送信して室外機３０の各構成部の制御を行わせる。
【００２６】
冷房運転時及び暖房運転時には、室外制御部４０によって、膨張弁３８の開度は負荷に応じて調節され、室内制御部２３によって、電磁弁１６は開にされる。電磁弁１６が開の場合、冷媒は絞り弁１８側を極小量しか通過せず、冷媒の大部分は電磁弁１６側を通過する。また、四方弁３６は、室外制御部４０によって、冷房運転時には第３熱交換器３２側が高圧、暖房運転時には第１熱交換器１２側が高圧となるように流路が切換えられる。よって、冷房運転時には第１熱交換器１２及び第２熱交換器１４は蒸発器として動作し、暖房運転時には第１熱交換器１２及び第２熱交換器１４は凝縮器として動作する。
【００２７】
また、除湿運転としては、冷凍サイクルを用いた除湿があり、冷房運転を行って除湿（以下、冷房除湿という）を行うことが可能である。冷房除湿では、冷房運転を行うため、室温は低下する。また、除湿運転としては、他に、室温の低下を抑制しながら除湿を行う再熱除湿を行うことも可能である。室外制御部４０及び室内制御部２３は、除湿運転時、冷房除湿運転と再熱除湿運転とを例えば室内温度及び設定温度などに基づいて切換える。
【００２８】
再熱除湿運転時には、室外制御部４０によって、四方弁３６は冷房運転と同じように流路が切換えられる。また、室外制御部４０によって、膨張弁３８は全開にされ、室内制御部２３によって、電磁弁１６は閉にされる。電磁弁１６が閉の場合、冷媒は絞り弁１８側を通過する。よって、圧縮機３４で圧縮された高圧冷媒は、第３熱交換器３２及び第２熱交換器１４を通過し、絞り弁１８で減圧された後に第１熱交換器１２を通過する。そのため、第３熱交換器３２及び第２熱交換器１４は凝縮器として動作し、第１熱交換器１２は蒸発器として動作する。第２熱交換器１４は凝縮器として動作するため、室内ファン２０から送られた空気を加熱する。一方、第１熱交換器１２は蒸発器として動作するため、室内ファン２０から送られた空気を除湿する。よって、室内機１０からは、第１熱交換器１２で除湿された空気と第２熱交換器１４で加熱された空気とが混合されて吹き出され、室温の低下を抑制しながら除湿を行うことができる。
【００２９】
設定温度及び設定湿度が指定された状態で除湿運転を行う場合、室外制御部４０は、室内センサ２４の温度の計測値が設定温度と同じ、かつ、室内センサ２４の湿度の計測値が設定湿度と同じか否かを表す情報を室内制御部２３より受取り、室内センサ２４の計測値が設定値と同じになるように冷房除湿運転又は再熱除湿運転を行う。一方、自動設定で除湿運転を行う場合、室内制御部（決定手段）２３は、室外制御部４０から受取った室外センサ４４の計測値（室外温度）が高くなるほど、設定温度を高く、かつ、設定湿度を低く設定（決定）し、冷房除湿運転又は再熱除湿運転を行う。設定の受付は、操作Ｉ／Ｆ（受付手段）２２によって、例えば操作パネル又はリモートコントローラの湿度設定ボタンを用いて「４０％」，「５０％」，「６０％」等の湿度設定操作（手動決定）を受付けたり、「湿度自動」の設定操作（自動決定）を受付けたり、「＋１℃」，「＋２℃」，「−１℃」等の温度設定操作（手動決定）を受付けたり、「温度自動」の設定操作（自動決定）を受付けることが可能である。室外温度に応じた設定温度及び設定湿度の設定例を表１に示す。
【００３０】
【表１】
2007120775.tif 000003
【００３１】
表１の例では、室外温度が１３〜１８℃の場合の設定温度は２３℃、設定湿度は６５％であり、室外温度が１８〜２３℃の場合の設定温度は２４℃、設定湿度は６０％であり、室外温度が２３〜２８℃の場合の設定温度は２５℃、設定湿度は５５％であり、室外温度が２８〜３３℃の場合の設定温度は２６℃、設定湿度は５０％であり、室外温度が３３〜３８℃の場合の設定温度は２７℃、設定湿度は４５％であり、室外温度が３８〜４３℃の場合の設定温度は２８℃、設定湿度は４０％である。
【００３２】
表１に示す設定は例えば室内制御部２３のＲＯＭに記憶されている。室内制御部（調節手段）２３は、例えば室外制御部４０から受取った室外センサ４４の計測値（室外温度）が２０℃の場合、ＲＯＭに記憶されている表１の設定に基づいて設定温度を２４℃、設定湿度を６０％に設定し、室内センサ２４の温度の計測値が２４℃、湿度の計測値が６０％に近づくように、室内機１０の各構成部を制御すると共に、制御用の情報を室外制御部４０へ送信して室外機３０の各構成部を制御させ、冷房除湿運転又は再熱除湿運転を行う。例えば主に室外ファン４２を制御して温度を調節したり、主に圧縮機３４の動作周波数（以下、圧縮機周波数という）を制御して湿度を調節することが可能である。本実施の形態では、除湿開始時の室温（以下、初期室温という）を基準に設定した室温ゾーン毎に、圧縮機周波数、室内ファン速度、室外ファン回転数（ｒｐｍ）、電磁弁、除湿方式を設定して調節を行う。図２は室温ゾーンの例を示す概念図である。また、表２に室温ゾーン毎の設定例を示す。
【００３３】
【表２】
2007120775.tif 000004
【００３４】
図２の例では、初期室温は２３℃であり、初期室温は室温ゾーンｈに含まれており、室温ゾーンｈより低温側は順に室温ゾーンｉ，ｊが設定され、室温ゾーンｈより高温側は順に室温ゾーンｇ，ｆ，ｅ，ｄが設定されている。表２の例では、各室温ゾーンｄ，ｅ，ｆ，ｇ，ｈ，ｉ，ｊの圧縮機周波数は夫々Ｆ３，Ｆ３，Ｆ４，Ｆ３，Ｆ２又はＦ２’，Ｆ１，Ｆ０（ただし、Ｆ０＜Ｆ１＜Ｆ２＜Ｆ２’＜Ｆ３＜Ｆ４）に設定され、各室温ゾーンｄ，ｅ，ｆ，ｇ，ｈ，ｉ，ｊの室内ファン速度は夫々Ｗ３，Ｗ３，Ｗ４，Ｗ３，Ｗ３，Ｗ３，Ｗ０又はＷ１（ただし、Ｗ０＜Ｗ１＜Ｗ３＜Ｗ４）に設定され、各室温ゾーンｄ，ｅ，ｆ，ｇ，ｈ，ｉ，ｊの室外ファン回転数は夫々冷房運転と同様，冷房運転と同様，Ｒ３，Ｒ２，Ｒ１，Ｒ１，Ｒ３（ただし、Ｒ１＜Ｒ２＜Ｒ３）に設定され、各室温ゾーンｄ，ｅ，ｆ，ｇ，ｈ，ｉ，ｊの電磁弁（除湿方式）は夫々開（冷房除湿），開（冷房除湿），開又は閉（冷房除湿又は再熱除湿），開又は閉（冷房除湿又は再熱除湿），閉（再熱除湿），閉（再熱除湿），閉（間欠送風のみ）に設定されている。
【００３５】
図２及び表２に示す設定は例えば室内制御部２３のＲＯＭに記憶されている。室内制御部２３は、例えば室内センサ２４の計測温度（室温）が２３℃から０．８℃低下して、室温ゾーンｈから室温ゾーンｉに変化した場合、表２の室温ゾーンｉの設定に基づいて、室内ファン速度、電磁弁１６などの制御を行うと共に、室外制御部４０へ情報を送信して圧縮機周波数、室外ファン回転数、膨張弁などの制御を行う。
【００３６】
また、本実施の形態では、設定湿度を基準に設定した湿度ゾーンに応じて、圧縮機周波数の調整を行う。図３は湿度ゾーンの例を示す概念図である。図３の例では、高湿度側から順に湿度ゾーンｐ，ｑ，ｒ，ｓが設定されており、湿度ゾーンｐでは例えば５Ｈｚ／分で圧縮機周波数を増加させ、湿度ゾーンｑでは圧縮機周波数は変化させず、湿度ゾーンｒでは例えば５Ｈｚ／分で圧縮機周波数を低下させ、湿度ゾーンｓでは圧縮機３４を停止させる。これらの設定は例えば室外制御部４０のＲＯＭに記憶されている。室外制御部４０は、例えば室内センサ２４の計測湿度が「設定湿度−１％」から「設定湿度−３％」に低下して、湿度ゾーンｑから室温ゾーンｒに変化したことを示す情報を室内制御部２３から受取った場合、圧縮機周波数を５Ｈｚ／分で低下させる。
【００３７】
表１に示したように、室外温度が高くなるほど設定温度を高くして、室外と室内との温度差を低くすることにより、室外と室内とを行き来する場合などのヒートショックを低減することができることに加え、設定温度が高くなるほど設定湿度を低くすることにより、室内温度が高い場合であっても室内湿度が低いために高温による不快感を低減することができる。
【００３８】
上述した実施の形態においては、再熱除湿を行うことが可能な空気調和機を例にして説明したが、本発明は再熱除湿を行えない空気調和機に適用することも勿論可能である。再熱除湿を行えない空気調和機は、図１に示した構成において、電磁弁１６、絞り弁１８、及び第２熱交換器１４が省かれており、除湿運転時は冷房除湿のみを行う。図４は室温ゾーンの他の例を示す概念図である。また、表３に室温ゾーン毎の設定例を示す。
【００３９】
【表３】
2007120775.tif 000005
【００４０】
図４の例では、初期室温は２３℃であり、初期室温は室温ゾーンｈに含まれており、室温ゾーンｈより低温側は順に室温ゾーンｉ，ｊが設定され、室温ゾーンｈより高温側は順に室温ゾーンｇ，ｆ，ｅ，ｄ，ｃ，ｂが設定されている。表３の例では、各室温ゾーンｂ，ｃ，ｄ，ｅ，ｆ，ｇ，ｈ，ｉ，ｊの圧縮機周波数は夫々Ｆ７，Ｆ６，Ｆ５，Ｆ４，Ｆ３，Ｆ２，Ｆ２又はＦ１，Ｆ１，Ｆ０（ただし、Ｆ０＜Ｆ１＜Ｆ２＜Ｆ３＜Ｆ４＜Ｆ５＜Ｆ６＜Ｆ７）に設定され、各室温ゾーンｂ，ｃ，ｄ，ｅ，ｆ，ｇ，ｈ，ｉ，ｊの室内ファン速度は夫々Ｗ８，Ｗ７，Ｗ５，Ｗ４，Ｗ３，Ｗ２，Ｗ２，Ｗ１，Ｗ０又はＷ１（ただし、Ｗ０＜Ｗ１＜Ｗ２＜Ｗ３＜Ｗ４＜Ｗ５＜Ｗ６＜Ｗ７＜Ｗ８）に設定されている。
【００４１】
図４及び表３に示す設定は例えば室内制御部２３のＲＯＭに記憶されている。室内制御部２３は、例えば室内センサ２４の計測値（室温）が２３℃から１．１℃上昇して、室温ゾーンｈから室温ゾーンｇに変化した場合、表３の室温ゾーンｇの設定に基づいて、室内ファン速度の制御を行うと共に、圧縮機周波数の情報を室外制御部４０に送り、圧縮機周波数の制御などを行わせる。
【００４２】
上述した各実施の形態においては、室外温度に対応する設定温度及び設定湿度の設定例として表１を例にして説明したが、室外温度に対応する設定温度及び設定湿度の設定は表１に限定はされず、室外温度が高くなるほど設定温度を任意に高く設定し、設定温度が高くなるほど設定湿度を任意に低く設定することが可能である。
【図面の簡単な説明】
【００４３】
【図１】本発明に係る空気調和機の構成例を模式的に示すブロック図である。
【図２】室温ゾーンの例を示す概念図である。
【図３】湿度ゾーンの例を示す概念図である。
【図４】室温ゾーンの他の例を示す概念図である。
【符号の説明】
【００４４】
１０  室内機
１２  第１熱交換器
１４  第２熱交換器
１６  電磁弁
１８  絞り弁
２０  室内ファン
２２  操作Ｉ／Ｆ
２３  室内制御部
２４  室内センサ
３０  室外機
３２  第３熱交換器
３４  圧縮機
３６  四方弁
３８  膨張弁
４０  室外制御部
４２  室外ファン
４４  室外センサ
【図１】
2007120775.tif 000006
【図２】
2007120775.tif 000007
【図３】
2007120775.tif 000008
【図４】
2007120775.tif 000009